(57)【特許請求の範囲】
【請求項１】
音声信号とこの音声信号を処理するための付加情報とを含む送信信号を送信するマイクロフォンと、前記送信信号を受信するとともに同送信信号の前記付加情報に基づいて前記音声信号を処理するワイヤレス受信機とを備え、前記マイクロフォンが前記送信信号を送信するとともに前記ワイヤレス受信機が同送信信号を受信することにより通信するワイヤレスマイクロフォンシステムにおいて、
前記付加情報として前記マイクロフォンおよび前記ワイヤレス受信機に予め設定されている通常付加情報と前記音声信号とを含む送信信号を前記マイクロフォンが送信し、前記ワイヤレス受信機が当該通常付加情報に基づいて前記音声信号を取り出す処理を行う通常通信モードと、
前記通常付加情報と異なる秘話付加情報を前記マイクロフォンに設定するとともに、この秘話付加情報と前記通常付加情報とを含む送信信号を前記マイクロフォンが送信し、前記ワイヤレス受信機が前記通常付加情報に基づいて前記秘話付加情報を取り出す処理を行う秘話設定モードと、
前記秘話設定モードにより設定した前記秘話付加情報と前記音声信号とを含む送信信号を前記マイクロフォンが送信し、前記ワイヤレス受信機が前記秘話設定モードにより取り出した前記秘話付加情報に基づいて前記音声信号を取り出す処理を行う秘話通信モードとを有する
ことを特徴とするワイヤレスマイクロフォンシステム。
【請求項２】
請求項１に記載のワイヤレスマイクロフォンシステムにおいて、
前記マイクロフォンは、前記通常付加情報を前記音声信号に付加した通常送信信号と、前記秘話付加情報を前記音声信号に付加した秘話送信信号と、前記通常付加情報を前記秘話付加情報に付加した秘話設定送信信号とを送信する送信部を備え、前記ワイヤレス受信機は、前記通常送信信号と、前記秘話送信信号と、前記秘話設定送信信号とを受信する受信部を備え、
前記通常通信モードは、前記マイクロフォンが前記送信部を通じて前記通常送信信号を送信するとともに、前記ワイヤレス受信機が前記受信部で前記通常送信信号を受信するモードであり、
前記秘話設定モードは、前記マイクロフォンが前記送信部を通じて前記秘話設定送信信号を送信するとともに、前記ワイヤレス受信機が前記受信部で前記秘話設定送信信号を受信するモードであり、
前記秘話通信モードは、前記マイクロフォンが前記送信部を通じて前記秘話送信信号を送信するとともに、前記ワイヤレス受信機が前記受信部で前記秘話送信信号を受信するモードである
ことを特徴とするワイヤレスマイクロフォンシステム。
【請求項３】
請求項２に記載のワイヤレスマイクロフォンシステムにおいて、
前記マイクロフォンは、前記秘話設定モードのとき、前記秘話設定モード開始の後、設定時間にわたって前記秘話設定送信信号を送信するとともに、同秘話設定送信信号に含まれる前記秘話付加情報を保存し、前記秘話通信モードのとき、保存した前記秘話付加情報を用いて前記秘話送信信号を形成し、この秘話送信信号を送信するものであり、
前記ワイヤレス受信機は、前記秘話設定モードのとき、前記マイクロフォンからの前記秘話設定送信信号を受信した場合、同秘話設定送信信号に含まれる前記秘話付加情報を保存し、前記秘話通信モードのとき、保存されている前記秘話付加情報を用いて前記秘話送信信号を処理する
ことを特徴とするワイヤレスマイクロフォンシステム。
【請求項４】
請求項２または３に記載のワイヤレスマイクロフォンシステムにおいて、
前記マイクロフォンは、前記秘話設定モードに設定されるたびに前記秘話付加情報をランダムに形成し、形成された前記秘話付加情報を用いて前記秘話設定送信信号および前記秘話送信信号を形成するものであり、
前記ワイヤレス受信機は、前記秘話設定モードに設定されているとき、前記秘話付加情報の受信に成功するたびに、新たに受信した前記秘話付加情報により保存されている前記秘話付加情報を更新し、同秘話付加情報を用いて前記秘話設定送信信号および前記秘話送信信号を処理する
ことを特徴とするワイヤレスマイクロフォンシステム。
【請求項５】
請求項２または３に記載のワイヤレスマイクロフォンシステムにおいて、
前記マイクロフォンは、複数個の前記秘話付加情報を記憶し、前記秘話設定モードに設定されるたびに、複数個の前記秘話付加情報のうちのいずれか１つをランダムに選択して、選択した前記秘話付加情報を用いて前記秘話設定送信信号および前記秘話送信信号を形成するものであり、
前記ワイヤレス受信機は、前記秘話設定モードに設定されているとき、前記秘話付加情報の受信に成功するたびに、新たに受信した前記秘話付加情報により保存されている前記秘話付加情報を更新し、同秘話付加情報を用いて前記秘話設定送信信号および前記秘話送信信号を処理する
ことを特徴とするワイヤレスマイクロフォンシステム。
【請求項６】
請求項２〜５のいずれか一項に記載のワイヤレスマイクロフォンシステムにおいて、
前記マイクロフォンと前記ワイヤレス受信機とは、それぞれ前記秘話設定モードに設定するための操作部を備え、
前記マイクロフォンと前記ワイヤレス受信機とは、それぞれの前記操作部における操作に対応して前記秘話設定モードに設定され、
前記ワイヤレス受信機は、前記秘話設定モードのとき、前記操作部における操作が継続している間に限り前記秘話設定送信信号を受信する
ことを特徴とするワイヤレスマイクロフォンシステム。
【請求項７】
請求項２〜６のいずれか一項に記載のワイヤレスマイクロフォンシステムにおいて、
前記付加情報は、前記音声信号を検出するためのユニークワードであり、
前記通常送信信号は、前記通常付加情報としての通常ユニークワードを前記音声信号に付加したものとし、
前記秘話送信信号は、前記通常ユニークワードと異なる前記付加情報としての秘話ユニークワードを前記音声信号に付加したものとし、
前記秘話設定送信信号は、前記通常ユニークワードを前記秘話ユニークワードに付加したものとする
ことを特徴とするワイヤレスマイクロフォンシステム。
【請求項８】
請求項２〜６のいずれか一項に記載のワイヤレスマイクロフォンシステムにおいて、
前記マイクロフォンは、前記付加情報としての鍵情報により前記音声信号を暗号化して暗号音声信号を形成するとともに、前記鍵情報を前記暗号音声信号に付加して送信するものであり、
前記通常送信信号は、前記通常付加情報としての通常鍵情報を前記暗号音声信号に付加したものとし、
前記秘話送信信号は、前記通常鍵情報と異なる前記付加情報としての秘話鍵情報を前記暗号音声信号に付加したものとし、
前記秘話設定送信信号は、前記通常鍵情報を前記秘話鍵情報に付加したものとする
ことを特徴とするワイヤレスマイクロフォンシステム。
【請求項９】
請求項１〜８のいずれか一項に記載のワイヤレスマイクロフォンシステムにおいて、
前記マイクロフォンの前記秘話設定モードが終了してから送信禁止期間が経過するまでの間は、前記秘話設定モードの実行を禁止する
ことを特徴とするワイヤレスマイクロフォンシステム。
【請求項１０】
請求項１〜９のいずれか一項に記載のワイヤレスマイクロフォンシステムにおいて、
前記ワイヤレス受信機の秘話設定モードが終了してから受信禁止期間が経過するまでの間は、前記秘話設定モードの実行を禁止する
ことを特徴とするワイヤレスマイクロフォンシステム。
【請求項１１】
請求項１〜１０のいずれか一項に記載のワイヤレスマイクロフォンシステムにおいて、
前記ワイヤレス受信機が、前記秘話設定モードで、前記マイクロフォンからの送信信号を受信しない非受信回数が設定回数連続して発生したとき、前記ワイヤレス受信機を前記秘話設定モードとする操作を無効とする
ことを特徴とするワイヤレスマイクロフォンシステム。
【請求項１２】
請求項１〜１１のいずれか一項に記載のワイヤレスマイクロフォンシステムにおいて、
前記ワイヤレス受信機を前記秘話設定モードとする操作が設定時間内に設定回数行われたとき、その後に行われる前記ワイヤレス受信機を前記秘話設定モードとする操作を無効とする
ことを特徴とするワイヤレスマイクロフォンシステム。
【請求項１３】
請求項１〜１２のいずれか一項に記載のワイヤレスマイクロフォンシステムにおいて、
前記マイクロフォンが前記秘話設定モードのとき、かつ前記ワイヤレス受信機の受信する受信信号が基準受信レベルよりも小さいとき、前記受信信号の処理を行わない
ことを特徴とするワイヤレスマイクロフォンシステム。
【請求項１４】
請求項１〜１２のいずれか一項に記載のワイヤレスマイクロフォンシステムにおいて、
前記マイクロフォンが、前記秘話設定モードにおいて送信信号を送信するときの電波強度を、前記通常通信モードにおいて送信信号を送信するときの電波強度よりも小さくする
ことを特徴とするワイヤレスマイクロフォンシステム。
【発明の詳細な説明】
【技術分野】
【０００１】
本発明は、音声信号とこの音声信号を処理するための付加情報とを含む送信信号を送信するマイクロフォンと、送信信号を受信するとともに同送信信号を付加情報に基づいて音声信号を処理するワイヤレス受信機とを備え、マイクロフォンが送信信号を送信するとともにワイヤレス受信機が同送信信号を受信することにより通信するワイヤレスマイクロフォンシステムに関する。
【背景技術】
【０００２】
上記ワイヤレスマイクロフォンシステムに関連する技術として、例えば特許文献１に記載のものが知られている。
同文献の通信装置では、子機と親機との間で、暗号キーとしての拡散符号系列を用いてスペクトラム拡散通信を行う。これにより、干渉性を向上させるとともに信号の秘話性を高めている。子機が使用する拡散符号系列は、子機が親機の載置箇所に置かれて子機の端子と親機のチャージ端子とが接触するときに、親機から子機に送信される。
【先行技術文献】
【特許文献】
【０００３】
【特許文献１】特開平７−２９８３６２号公報
【発明の概要】
【発明が解決しようとする課題】
【０００４】
ところで、ワイヤレスマイクロフォンシステムにおいて無線信号の傍受を抑制する要求が高まっている。例えば、会議などにおいてワイヤレスのマイクロフォンが使われているが、会議内容が外部に漏れることは好ましくないため、このような要求が強い。そこで、マイクロフォンの電波の傍受を抑制するために送信信号を拡散符号系列等により暗号化することが考えられる（特許文献１参照）。しかし、マイクロフォンおよびワイヤレス受信機に、暗号キーを受け渡すための双方向通信装置を付加する必要があり、構造が複雑になる。
【０００５】
本発明はこのような実情に鑑みてなされたものであり、その目的は、簡易な構成で第３の受信機による傍受を抑制することのできるワイヤレスマイクロフォンシステムを提供することにある。
【課題を解決するための手段】
【０００６】
以下、上記目的を達成するための手段およびその作用効果について記載する。
（１）請求項１に記載の発明は、音声信号とこの音声信号を処理するための付加情報とを含む送信信号を送信するマイクロフォンと、前記送信信号を受信するとともに同送信信号の前記付加情報に基づいて前記音声信号を処理するワイヤレス受信機とを備え、前記マイクロフォンが前記送信信号を送信するとともに前記ワイヤレス受信機が同送信信号を受信することにより通信するワイヤレスマイクロフォンシステムにおいて、前記付加情報として前記マイクロフォンおよび前記ワイヤレス受信機に予め設定されている通常付加情報と前記音声信号とを含む送信信号を前記マイクロフォンが送信し、前記ワイヤレス受信機が当該通常付加情報に基づいて前記音声信号を取り出す処理を行う通常通信モードと、前記通常付加情報と異なる秘話付加情報を前記マイクロフォンに設定するとともに、この秘話付加情報と前記通常付加情報とを含む送信信号を前記マイクロフォンが送信し、前記ワイヤレス受信機が前記通常付加情報に基づいて前記秘話付加情報を取り出す処理を行う秘話設定モードと、前記秘話設定モードにより設定した前記秘話付加情報と前記音声信号とを含む送信信号を前記マイクロフォンが送信し、前記ワイヤレス受信機が前記秘話設定モードにより取り出した前記秘話付加情報に基づいて前記音声信号を取り出す処理を行う秘話通信モードとを有することを要旨とする。
【０００７】
この発明によれば、秘話設定モードにおいて秘話付加情報をマイクロフォンからワイヤレス受信機に送信し、秘話通信モードにおいて秘話付加情報に基づいて通信をする。秘話通信モードのときは、通常通信モードのときに用いる通常付加情報とは異なる秘話付加情報を用いて通信するため、マイクロフォンからの送信信号が第三者のワイヤレス受信機により傍受されることを抑制することができる。また、音声信号を暗号化する技術のように暗号鍵をマイクロフォン側とワイヤレス側で互い交換する構成ではないため、簡易な構成とすることができる。
【０００８】
（２）請求項２に記載の発明は、請求項１に記載のワイヤレスマイクロフォンシステムにおいて、前記マイクロフォンは、前記通常付加情報を前記音声信号に付加した通常送信信号と、前記秘話付加情報を前記音声信号に付加した秘話送信信号と、前記通常付加情報を前記秘話付加情報に付加した秘話設定送信信号とを送信する送信部を備え、前記ワイヤレス受信機は、前記通常送信信号と、前記秘話送信信号と、前記秘話設定送信信号とを受信する受信部を備え、前記通常通信モードは、前記マイクロフォンが前記送信部を通じて前記通常送信信号を送信するとともに、前記ワイヤレス受信機が前記受信部で前記通常送信信号を受信するモードであり、前記秘話設定モードは、前記マイクロフォンが前記送信部を通じて前記秘話設定送信信号を送信するとともに、前記ワイヤレス受信機が前記受信部で前記秘話設定送信信号を受信するモードであり、前記秘話通信モードは、前記マイクロフォンが前記送信部を通じて前記秘話送信信号を送信するとともに、前記ワイヤレス受信機が前記受信部で前記秘話送信信号を受信するモードであることを要旨とする。
【０００９】
この発明によれば、通常送信信号、秘話送信信号、秘話設定送信信号を個別の送信部により送信するのではなく、１つの送信部を介して送信するため、マイクロフォンの構成を簡略にすることができる。また、より確実に第三者による傍受を防ぐことができる。
【００１０】
（３）請求項３に記載の発明は、請求項２に記載のワイヤレスマイクロフォンシステムにおいて、前記マイクロフォンは、前記秘話設定モードのとき、前記秘話設定モード開始の後、設定時間にわたって前記秘話設定送信信号を送信するとともに、同秘話設定送信信号に含まれる前記秘話付加情報を保存し、前記秘話通信モードのとき、保存した前記秘話付加情報を用いて前記秘話送信信号を形成し、この秘話送信信号を送信するものであり、前記ワイヤレス受信機は、前記秘話設定モードのとき、前記マイクロフォンからの前記秘話設定送信信号を受信した場合、同秘話設定送信信号に含まれる前記秘話付加情報を保存し、前記秘話通信モードのとき、保存されている前記秘話付加情報を用いて前記秘話送信信号を処理することを要旨とする。
【００１１】
この発明によれば、ワイヤレス受信機は、マイクロフォンが秘話設定送信信号の送信中において、秘話設定送信信号を受信したとき秘話付加情報を保存する。すなわち、マイクロフォンからの秘話設定送信信号を受信しないときは、ワイヤレス受信機が秘話設定モードのときであっても秘話付加情報を保存する処理を行なわないため、誤信号が秘話付加情報として保存されることを抑制することができる。これにより、より確実に第三者による傍受を防ぐことができる。
【００１２】
（４）請求項４に記載の発明は、請求項２または３に記載のワイヤレスマイクロフォンシステムにおいて、前記マイクロフォンは、前記秘話設定モードに設定されるたびに前記秘話付加情報をランダムに形成し、形成された前記秘話付加情報を用いて前記秘話設定送信信号および前記秘話送信信号を形成するものであり、前記ワイヤレス受信機は、前記秘話設定モードに設定されているとき、前記秘話付加情報の受信に成功するたびに、新たに受信した前記秘話付加情報により保存されている前記秘話付加情報を更新し、同秘話付加情報を用いて、前記秘話設定送信信号および前記秘話送信信号を処理することを要旨とする。
【００１３】
この発明によれば、マイクロフォンは、秘話設定モードに設定されるたびに秘話付加情報をランダムに形成して、第三者が秘話付加情報を予測することを困難なものとする。これにより、第三者による傍受をさらに抑制することができる。
【００１４】
（５）請求項５に記載の発明は、請求項２または３に記載のワイヤレスマイクロフォンシステムにおいて、前記マイクロフォンは、複数個の前記秘話付加情報を記憶し、前記秘話設定モードに設定されるたびに、複数個の前記秘話付加情報のうちのいずれか１つをランダムに選択して、選択した前記秘話付加情報を用いて前記秘話設定送信信号および前記秘話送信信号を形成するものであり、前記ワイヤレス受信機は、前記秘話設定モードに設定されているとき、前記秘話付加情報の受信に成功するたびに、新たに受信した前記秘話付加情報により保存されている前記秘話付加情報を更新し、同秘話付加情報を用いて前記秘話設定送信信号および前記秘話送信信号を処理することを要旨とする。
【００１５】
この発明によれば、マイクロフォンは、秘話設定モードに設定されるたびに、記憶された複数個の秘話付加情報のうちからランダムに選択するため、第三者が秘話付加情報を予測することを困難なものとする。これにより、第三者による傍受をさらに抑制することができる。
【００１６】
（６）請求項６に記載の発明は、請求項２〜５のいずれか一項に記載のワイヤレスマイクロフォンシステムにおいて、前記マイクロフォンと前記ワイヤレス受信機とは、それぞれ前記秘話設定モードに設定するための操作部を備え、前記マイクロフォンと前記ワイヤレス受信機とは、それぞれの前記操作部における操作に対応して前記秘話設定モードに設定され、前記ワイヤレス受信機は、前記操作部における操作が継続している間に限り前記秘話設定送信信号を受信することを要旨とする。
【００１７】
この発明によれば、ワイヤレス受信機は、操作部における操作が継続している間に限り秘話設定送信信号を受信する。このため、操作部の操作を中止したときは、秘話設定送信信号の受信を停止することができる。このような秘話設定送信信号の受信期間を短くする操作は次の場合に用いられる。例えば、他のマイクロフォンを用いて、第三者がダミーの秘話付加情報を送信することにより、秘話設定を妨害することが行なうことが考えられる。この場合、操作部の操作期間を短くして、このような妨害を受けることを抑制することができる。これにより、より確実に第三者による傍受を防ぐことができる。
【００１８】
（７）請求項７に記載の発明は、請求項２〜６のいずれか一項に記載のワイヤレスマイクロフォンシステムにおいて、前記付加情報は、前記音声信号を検出するためのユニークワードであり、前記通常送信信号は、前記通常付加情報としての通常ユニークワードを前記音声信号に付加したものとし、前記秘話送信信号は、前記通常ユニークワードと異なる前記付加情報としての秘話ユニークワードを前記音声信号に付加したものとし、前記秘話設定送信信号は、前記通常ユニークワードを前記秘話ユニークワードに付加したものとすることを要旨とする。
【００１９】
この発明によれば、秘話設定モードのとき、マイクロフォンから秘話送信信号を送信することにより、秘話ユニークワードを同マイクロフォンからワイヤレス受信機に受け渡す。そして、秘話通信モードのとき秘話ユニークワードを用いて通信をする。このため、簡易な構成で、マイクロフォンからの送信信号が第三者のワイヤレス受信機により傍受されることを抑制することができる。
【００２０】
（８）請求項８に記載の発明は、請求項２〜６のいずれか一項に記載のワイヤレスマイクロフォンシステムにおいて、前記マイクロフォンは、前記付加情報としての鍵情報により前記音声信号を暗号化して暗号音声信号を形成するとともに、前記鍵情報を前記暗号音声信号に付加して送信するものであり、前記通常送信信号は、前記通常付加情報としての通常鍵情報を前記暗号音声信号に付加したものとし、前記秘話送信信号は、前記通常鍵情報と異なる秘話鍵情報を前記暗号音声信号に付加したものとし、前記秘話設定送信信号は、前記通常鍵情報を前記秘話鍵情報に付加したものとすることを要旨とする。
【００２１】
この発明によれば、秘話設定モードのとき、マイクロフォンから秘話送信信号を送信することにより、秘話鍵情報を同マイクロフォンからワイヤレス受信機に受け渡す。そして、秘話通信モードのとき秘話鍵情報を用いて通信をする。このように音声信号を暗号化しているため、マイクロフォンからの送信信号が第三者のワイヤレス受信機により傍受されることをさらに抑制することができる。
【００２２】
（９）請求項９に記載の発明は、請求項１〜８のいずれか一項に記載のワイヤレスマイクロフォンシステムにおいて、前記マイクロフォンの前記秘話設定モードが終了してから送信禁止期間が経過するまでの間は、前記秘話設定モードの実行を禁止することを要旨とする。
【００２３】
秘話設定モードの終了後に同設定モードを設定することを許容すると、秘話付加情報を含む送信信号を送信し続けることもできるようになる。この秘話付加情報を傍受する目的で、第三者がワイヤレス受信機を用いることも想定される。第三者はワイヤレス受信機を受信状態として待機することを想定したとき、秘話付加情報を含む送信信号の送信時間を長くすることは、その分だけ、秘話付加情報が傍受されるおそれが高くなる。これに対して、本発明では、秘話設定モードが終了してから送信禁止期間が経過するまでの間は秘話設定モードを実行することを禁止しているため、第三者による秘話付加情報の傍受の機会を少なくすることができる。
【００２４】
（１０）請求項１０に記載の発明は、請求項１〜９のいずれか一項に記載のワイヤレスマイクロフォンシステムにおいて、前記ワイヤレス受信機の秘話設定モードが終了してから受信禁止期間が経過するまでの間は、前記秘話設定モードの実行を禁止することを要旨とする。
【００２５】
秘話付加情報を傍受することを目的として第三者がこのワイヤレス受信機を用いることを想定する。すると、第三者は、ワイヤレス受信機の秘話設定モードが解除された直後に同設定モードを実行する操作を行い、第三者がワイヤレス受信機を秘話設定モードの状態に維持して待機すると考えられる。このような操作により、秘話付加情報が傍受されるおそれが生じる。この点、本発明では、秘話設定モードが終了してから受信禁止期間が経過するまで秘話設定モードを設定することを禁止する。このため、秘話設定モードを連続して維持することが困難となるため、秘話付加情報が傍受されることを抑制することができる。
【００２６】
（１１）請求項１１に記載の発明は、請求項１〜１０のいずれか一項に記載のワイヤレスマイクロフォンシステムにおいて、前記ワイヤレス受信機が、前記秘話設定モードで、前記マイクロフォンからの送信信号を受信しない非受信回数が設定回数連続して発生したとき、前記ワイヤレス受信機を前記秘話設定モードとする操作を無効とすることを要旨とする。
【００２７】
マイクロフォンの秘話設定モードのときにワイヤレス受信機を秘話設定モードにすればマイクロフォンからの送信信号を受信することができるため、正規の使用者であれば、ワイヤレス受信機を同設定モードにする操作は通常１回で済む。そうすると、マイクロフォンからの送信信号の非受信が連続して発生しているときは、通常の操作を行っていないと推定することができる。すなわち、第三者が傍受を目的としてワイヤレス受信機を使用している可能性が大きいと予測される。このような点を考慮して、本発明では、マイクロフォンからの送信信号を受信しないことが設定回数連続して発生したとき、秘話設定モードとする操作を無効とする。これにより、第三者がワイヤレス受信機を使用し続けることが困難となるため、マイクロフォンからの送信信号が傍受されることを抑制することができる。
【００２８】
（１２）請求項１２に記載の発明は、請求項１〜１１のいずれか一項に記載のワイヤレスマイクロフォンシステムにおいて、前記ワイヤレス受信機を前記秘話設定モードとする操作が設定時間内に設定回数行われたとき、その後に行われる前記ワイヤレス受信機を前記秘話設定モードとする操作を無効とすることを要旨とする。
【００２９】
第三者がワイヤレス受信機を用いて秘話付加情報を傍受することを意図したとき、ワイヤレス受信機を秘話設定モードの状態に維持するために、秘話設定モードにする操作を連続して行うことが考えられる。これに対して、本発明では、秘話設定モードとする操作を連続して行ったときその後に行われる操作を無効とする。これにより、秘話設定モードにする操作を連続して行うことを困難なものとすることができるため、秘話付加情報が傍受されることを抑制することができる。
【００３０】
（１３）請求項１３に記載の発明は、請求項１〜１２のいずれか一項に記載のワイヤレスマイクロフォンシステムにおいて、前記マイクロフォンが前記秘話設定モードのとき、かつ前記ワイヤレス受信機の受信する受信信号が基準受信レベルよりも小さいとき、前記受信信号の処理を行わないことを要旨とする。
【００３１】
第三者が秘話付加情報を傍受するとき、正規の使用者のマイクロフォンから正規のワイヤレス受信機までの距離よりも遠いところで傍受すると考えられる。すなわち通常の操作により秘話設定モードに設定する場合と比較して、傍受するために用いられているワイヤレス受信機の受信レベルは小さいと考えられる。このような事情を考慮し、本発明では、ワイヤレス受信機の受信する受信信号が基準受信レベルよりも小さいとき、受信信号の処理を行わない。これにより、第三者がワイヤレス受信機を用いて秘話付加情報を傍受することを困難にすることができる。
【００３２】
（１４）請求項１４に記載の発明は、請求項１〜１２のいずれか一項に記載のワイヤレスマイクロフォンシステムにおいて、前記マイクロフォンが、前記秘話設定モードにおいて送信信号を送信するときの電波強度を、前記通常通信モードにおいて送信信号を送信するときの電波強度よりも小さくすることを要旨とする。
【００３３】
この発明によれば、秘話設定モードにおける送信信号の到達距離が、通常通信モードにおける送信信号の到達距離よりも短くなる。これにより、第三者がワイヤレス受信機により秘話ユニークワードを含む送信信号を受信することを困難とすることができる。
【図面の簡単な説明】
【００３４】
【図１】本発明の第１実施形態のワイヤレスマイクロフォンシステムについて、その概略構成を示す模式図。
【図２】同実施形態のマイクロフォンについて、その内部構成を示すブロック図。
【図３】同実施形態のワイヤレス受信機について、その内部構成を示すブロック図。
【図４】同実施形態のマイクロフォンにより送信される送信信号の信号形式を示す模式図。
【図５】同実施形態の通常通信モード、秘話設定モードおよび秘話通信モードについて、マイクロフォンおよびワイヤレス受信機のユニークワードの関係を示すテーブル。
【図６】同実施形態のワイヤレス受信機において実行される「送信秘話設定処理」の手順を示すフローチャート。
【図７】同実施形態のワイヤレス受信機において実行される「受信秘話設定処理」の手順を示すフローチャート。
【図８】同実施形態のマイクロフォンの送信状態とワイヤレス受信機の受信状態との関係を示すタイミングチャート。
【図９】本発明の第２実施形態のマイクロフォンにおいて実行される「送信秘話設定処理」の手順を示すフローチャート。
【図１０】本発明の第３実施形態のワイヤレス受信機において実行される「受信秘話設定処理」の手順を示すフローチャート。
【図１１】本発明の第４実施形態のワイヤレス受信機において実行される「受信秘話設定処理」の手順を示すフローチャート。
【図１２】同実施形態のマイクロフォンの送信状態とワイヤレス受信機の受信状態との関係を示すタイミングチャート。
【図１３】本発明の第５実施形態のワイヤレス受信機において実行される「受信秘話設定処理」の手順を示すフローチャート。
【発明を実施するための形態】
【００３５】
（第１実施形態）
図１〜図８を参照して、本発明の第１実施形態について説明する。
図１に示すように、ワイヤレスマイクロフォンシステム１は、送信信号ＳＡを送信する送信システム２と、送信信号ＳＡを受信する受信システム３とを備える。
【００３６】
送信システム２は、複数本のマイクロフォン１０から構成されている。マイクロフォン１０は、音声信号を通常の方法で送信する通常通信モードＭＤＡと、第三者に再生されにくい信号にして音声信号を送信する秘話通信モードＭＤＣと、秘話通信モードＭＤＣにより通信を可能とするための設定を行う秘話設定モードＭＤＢとを有する。
【００３７】
受信システム３は、マイクロフォン１０からの送信信号ＳＡを受信するワイヤレスアンテナ４と、同アンテナ４からの信号を混合する混合器５と、混合器５からの信号を復調するワイヤレス受信機３０と、ワイヤレス受信機３０からの信号を混成するミキサ６と、ミキサ６からの信号を増幅するアンプ７と、アンプ信号を再生するスピーカ８と備える。なお、ワイヤレス受信機３０は、マイクロフォン１０の各モードに対応する通常通信モードＭＤＡと、秘話通信モードＭＤＣと、秘話設定モードＭＤＢとを有する。
【００３８】
マイクロフォン１０および受信システム３は複数のチャンネルを有する。送信システム２のチャンネル構成と受信システム３のチャンネル構成は一致し、送信システム２のチャンネルと受信システム３のチャンネルとは１対１に対応する。マイクロフォン１０の送信信号ＳＡを受信システム３により受信するには、両者の使用するチャンネルを同じものに設定する。複数のマイクロフォン１０を使用するときは、複数のチャンネルが同時に使用される。
【００３９】
マイクロフォン１０は、音声を検出するヘッド部１１と、各種設定を行う操作部１２と、ヘッド部１１からの信号および設定されたチャンネルに基づいて送信信号ＳＡを形成する信号処理部１３と、この信号処理部１３により形成された送信信号ＳＡを送信する送信部１４とを備える。送信信号ＳＡは、音声デジタル信号ＳＤ（音声信号）と、ワイヤレス受信機３０が音声デジタル信号ＳＤの位置を同定するために用いるユニークワードＵＷとを含む。
【００４０】
操作部１２には、送信チャンネルＣＨＸを設定する送信チャンネル設定部１２Ａと、通常通信モードＭＤＡおよび秘話通信モードＭＤＣおよび秘話設定モードＭＤＢを切り替える切替スイッチ１２Ｂとが設けられている。
【００４１】
図２に示すように、信号処理部１３には、ヘッド部１１からの信号をデジタル信号に変換するＡ／Ｄ変換回路２１と、Ａ／Ｄ変換回路２１により形成されたデジタル信号に基づいて中間送信信号ＳＣを形成する信号形成部２２と、中間送信信号ＳＣを増幅して送信信号ＳＡを形成する増幅回路２３とが設けられている。さらに、信号処理部１３には、ユニークワードＵＷを形成する演算部２７と、ユニークワードＵＷを記憶する記憶部２８とが設けられている。記憶部２８には、通常通信モードＭＤＡで用いられるユニークワード（以下、「通常ユニークワードＵＷＮ」）が記憶されている。
【００４２】
信号形成部２２には、Ａ／Ｄ変換回路２１の信号を所定規格に準拠した信号に変換するとともに変換後の信号にユニークワードＵＷを付加する信号処理回路２４と、信号処理回路２４の信号をＦＭ変調するＦＭ変調回路２５と、ＦＭ変調信号とキャリア周波数とに基づいて中間送信信号ＳＣを形成する中間信号形成回路２６とが設けられている。
【００４３】
中間信号形成回路２６には、ＰＬＬ回路（位相同期ループ回路）が設けられている。ＰＬＬ回路は、ＦＭ変調回路２５により変調された信号とキャリア周波数とに基づいて安定した中間送信信号ＳＣを形成する。キャリア周波数としては、操作部１２により設定された送信チャンネルＣＨＸに対応する周波数が用いられる。送信チャンネルＣＨＸの設定の変更によりキャリア周波数が変更される。
【００４４】
演算部２７は、上記モードが切り替えられたとき、各モードに対応するユニークワードＵＷを信号処理回路２４に与える。これにより、信号処理回路２４に各モードに対応した形式の信号を形成させる。また、秘話設定モードＭＤＢのとき、演算部２７は乱数を形成して新たなユニークワード（以下、「秘話ユニークワードＵＷＸ」）を形成し、これを記憶部２８に保存する。また、秘話設定モードＭＤＢのとき、演算部２７は増幅回路２３のゲインを通常通信モードＭＤＡのときのゲインよりも低い値に設定する。これにより、演算部２７は、秘話設定モードＭＤＢのときの電波強度を通常通信モードＭＤＡ時の電波強度よりも小さくする。
【００４５】
図３を参照して、ワイヤレス受信機３０について説明する。
ワイヤレス受信機３０は、受信チャンネルＣＨＹを設定する操作部４０と、各受信チャンネルＣＨＹに対応して設けられた受信部５０とを備える。なお、ワイヤレス受信機３０は、複数の受信ユニットの組み合わせにより構成されている。
【００４６】
操作部４０は、ワイヤレス受信機３０の本体部の正面部に設けられている（図１参照）。操作部４０には、受信チャンネルＣＨＹを設定するための受信チャンネル設定部４１と、通常通信モードＭＤＡ、秘話通信モードＭＤＣ、および秘話設定モードＭＤＢを切り替える切替スイッチ４２と、受信結果を表示する表示部４５と、秘話設定モードＭＤＢのときに受信部５０を受信状態とする受信ボタン４６とが設けられている。
【００４７】
受信チャンネル設定部４１には、受信グループＧＲを設定する第１受信設定部４３と、グループ内の特定の受信チャンネルＣＨＹを設定する第２受信設定部４４とが設けられている。第１受信設定部４３には、受信グループＧＲを選択する第１選択ボタン４３Ａと、選択された受信グループＧＲを表示するグループ表示部４３Ｂとが設けられている。第２受信設定部４４は、受信チャンネルＣＨＹを選択する第２選択ボタン４４Ａと、選択された受信チャンネルＣＨＹを表示するチャンネル表示部４４Ｂとが設けられている。
【００４８】
図３に示すように、受信部５０は、混合器５からの信号を復調する復調器５１と、復調器５１からの復元信号ＳＢからユニークワードＵＷを検出するＵＷ検出部５２と、復元信号ＳＢを処理して音声デジタル信号ＳＤを取り出す信号処理回路５３と、音声デジタル信号ＳＤをアナログ信号に変換するＤ／Ａ変換回路５４とを備える。さらに、受信部５０は、操作部４０の操作に基づいて信号処理回路５３に指令を出す演算部５５と、演算部５５からの信号を記憶する記憶部５６とを備える。記憶部５６には、通常通信モードＭＤＡで用いられる通常ユニークワードＵＷＮが記憶されている。
【００４９】
演算部５５は、各モードに応じて次の制御を行う。
通常通信モードＭＤＡのとき、演算部５５は、同モードで用いられる通常ユニークワードＵＷＮを記憶部５６から読み出し、この通常ユニークワードＵＷＮを信号処理回路５３に与える。
【００５０】
また、ワイヤレス受信機３０が秘話設定モードＭＤＢのとき、送信信号ＳＡから秘話ユニークワードＵＷＸを取り出し、この秘話ユニークワードＵＷＸを記憶部５６に保存する。秘話通信モードＭＤＣに設定されたとき、演算部５５は、秘話ユニークワードＵＷＸを信号処理回路５３に与える。
【００５１】
また、ワイヤレス受信機３０が秘話通信モードＭＤＣに設定されている場合において、混合器５からの信号（受信信号）が基準受信レベルよりも小さいとき、演算部５５は、当該信号の処理を禁止する。
【００５２】
信号処理回路５３は、ＵＷ検出部５２により検出されたユニークワードＵＷと、演算部５５から与えられるユニークワードＵＷとを照合し、その一致度合いを検出する。一致度合いが所定値よりも大きいときは、両者は一致するとみなして、復元信号ＳＢから音声デジタル信号ＳＤを取り出す。一方、一致度合いが所定値以下のとき、両者は一致しないとみなして、復元信号ＳＢから音声デジタル信号ＳＤを取り出さず、音声デジタル信号ＳＤの再生を行わない。
【００５３】
表示部４５は、秘話設定モードＭＤＢのときに秘話ユニークワードＵＷＸを含む送信信号ＳＡ（以下、「秘話設定送信信号ＳＡＸ」）を受信しなかった旨を表示する。例えば、秘話設定送信信号ＳＡＸが受信されなかったときは、赤色に点滅し、秘話設定送信信号ＳＡＸが受信されたときは、青色に点灯する。
【００５４】
図４を参照して、各モードの送信信号ＳＡの信号形式を説明する。
図４（Ａ）に示すように、通常通信モードＭＤＡのときの送信信号（通常送信信号ＳＡＵ）は、通常ユニークワードＵＷＮと、音声デジタル信号ＳＤとを含む形式とされる。すなわち、通常送信信号ＳＡＵは、ワイヤレス受信機３０が通常モードに設定されているとき、ワイヤレス受信機３０により受信される。
【００５５】
図４（Ｂ）に示すように、秘話設定モードＭＤＢのときの送信信号ＳＡすなわち秘話設定送信信号ＳＡＸは、通常ユニークワードＵＷＮと、秘話ユニークワードＵＷＸとを含む形式とされる。すなわち、この秘話設定送信信号ＳＡＸは、秘話ユニークワードＵＷＸをワイヤレス受信機３０に伝えるための信号とされている。
【００５６】
図４（Ｃ）に示すように、秘話通信モードＭＤＣのときの送信信号ＳＡ（秘話送信信号ＳＡＹ）は、秘話ユニークワードＵＷＸと、音声デジタル信号ＳＤとを含む形式とされる。すなわち、秘話送信信号ＳＡＹは、ワイヤレス受信機３０に秘話ユニークワードＵＷＸが設定されていなければ、同受信機３０により受信されない。
【００５７】
図５を参照して、各モードにおける通信状態について説明する。
（Ａ）通常の方法でワイヤレスマイクロフォンシステム１を使うときは、マイクロフォン１０およびワイヤレス受信機３０を通常通信モードＭＤＡに設定する。このとき、マイクロフォン１０とワイヤレス受信機３０には、共通の通常ユニークワードＵＷＮが設定されている。このため、マイクロフォン１０からの送信信号ＳＡがワイヤレス受信機３０により受信される。すなわち、通常ユニークワードＵＷＮに基づいて送信信号ＳＡから音声信号が取り出される。なお、各マイクロフォン１０およびワイヤレス受信機３０には、通常ユニークワードＵＷＮがユニークワードＵＷの初期値として設定されている。
【００５８】
（Ｂ）マイクロフォン１０の送信信号ＳＡが第三者に傍受されることを考慮してワイヤレスマイクロフォンシステム１を使うとき、秘話通信モードＭＤＣとする前に、次の設定作業を行う。すなわち、マイクロフォン１０およびワイヤレス受信機３０を秘話設定モードＭＤＢとする。この設定作業を行う時点では、マイクロフォン１０およびワイヤレス受信機３０には通常ユニークワードＵＷＮが設定されている。つまり、マイクロフォン１０からの送信信号ＳＡがワイヤレス受信機３０により受信可能となっている。マイクロフォン１０から秘話設定送信信号ＳＡＸを送信することにより、秘話ユニークワードＵＷＸをワイヤレス受信機３０に渡すことができる。
【００５９】
（Ｃ）マイクロフォン１０の送信信号ＳＡが第三者に傍受されることを考慮してワイヤレスマイクロフォンシステム１を使うとき、マイクロフォン１０およびワイヤレス受信機３０を秘話通信モードＭＤＣに設定する。上記秘話ユニークワードＵＷＸの受け渡しが成功している場合、マイクロフォン１０およびワイヤレス受信機３０には、共通の秘話ユニークワードＵＷＸが設定されている。このため、マイクロフォン１０からの送信信号ＳＡがワイヤレス受信機３０により受信され、同秘話ユニークワードＵＷＸに基づいて送信信号ＳＡから音声信号が取り出すことができる。
【００６０】
（Ｄ）マイクロフォン１０のユニークワードＵＷが秘話ユニークワードＵＷＸに設定される一方、ワイヤレス受信機３０のユニークワードＵＷが通常ユニークワードＵＷＮに設定されているとき、次のようになる。すなわち、両者のユニークワードＵＷが一致しないため、マイクロフォン１０からの送信信号ＳＡから音声デジタル信号ＳＤが取り出されず、送信信号ＳＡが再生されず、音声が出力されない。
【００６１】
図６を参照して、マイクロフォン１０が実行する「送信秘話設定処理」の手順について説明する。
操作部１２の切替スイッチ１２Ｂが秘話設定モードＭＤＢに切り替えられたとき、ステップＳ１１０において、マイクロフォン１０が秘話設定モードＭＤＢに設定される。このとき、ステップＳ１２０において、演算部２７が乱数を形成し、この乱数に基づいて秘話ユニークワードＵＷＸを形成する。そして、ステップＳ１３０において秘話設定モードＭＤＢに維持されているか否か判定される。同判定において肯定されるとき、ステップＳ１４０において、秘話設定送信信号ＳＡＸが送信されるとともに、秘話ユニークワードＵＷＸが記憶部２８に保存される。なお、記憶部２８に保存されている秘話ユニークワードＵＷＸは、送信秘話設定処理の実行のたびに新たに形成される秘話ユニークワードＵＷＸに更新される。
【００６２】
そして、ステップＳ１５０において、秘話設定送信信号ＳＡＸの送信開始からの経過時間ＴＸが設定期間ＴＡ（送信設定期間）以下にあるか否か判定され、この判定で肯定判定されたとき、秘話設定送信信号ＳＡＸの送信が維持される。一方、ステップＳ１５０において否定判定されたとき、すなわち経過時間ＴＸが設定期間ＴＡを超えた旨判定されたとき、「送信秘話設定処理」が終了する。なお、ステップＳ１３０において切替スイッチ１２Ｂが秘話設定モードＭＤＢにない旨判定されたときも、「送信秘話設定処理」が終了する。
【００６３】
図７を参照して、ワイヤレス受信機３０が実行する「受信秘話設定処理」の手順について説明する。
ステップＳ２１０において、操作部４０の切替スイッチ４２が秘話設定モードＭＤＢに切り替えられ、かつ受信ボタン４６が押されたとき、ワイヤレス受信機３０が秘話設定モードＭＤＢに設定される。このとき、ステップＳ２２０において、秘話設定送信信号ＳＡＸを受信したか否か判定される。この判定が肯定されるとき、ステップＳ２３０において秘話設定送信信号ＳＡＸから秘話ユニークワードＵＷＸを取り出し、この秘話ユニークワードＵＷＸが記憶部５６に保存される。なお、記憶部５６に保存される秘話ユニークワードＵＷＸは、受信秘話設定処理の実行において秘話設定送信信号ＳＡＸの受信が成功するたびに、受信した秘話ユニークワードＵＷＸに更新される。秘話設定送信信号ＳＡＸの受信が成功したか否かは、例えば、秘話設定送信信号ＳＡＸの信号強度が閾値レベル以上であるか否かにより判定される。そして、受信秘話設定処理の実行中において秘話設定送信信号ＳＡＸの信号強度が閾値レベル未満のとき、秘話ユニークワードＵＷＸとしての処理は実行されない。
【００６４】
一方、ステップＳ２２０において否定判定されたとき、すなわち秘話設定送信信号ＳＡＸを受信しない旨判定されたとき、ステップＳ２４０において秘話設定モードＭＤＢに切替スイッチ４２が切り替えられたときから起算して経過時間ＴＹが設定期間ＴＢ（受信設定期間）以下であるか否か判定される。ステップＳ２４０において肯定判定されるとき、すなわち経過時間ＴＹが設定期間ＴＢ以下であるとき、秘話設定送信信号ＳＡＸを受信する受信状態が維持される。一方、ステップＳ２４０において否定判定されるとき、すなわち経過時間ＴＹが設定期間ＴＡを超えた旨判定されたとき、ステップＳ２５０において秘話設定送信信号ＳＡＸが受信されなかった旨を表示部４５に表示する。
【００６５】
図８を参照して、秘話設定モードＭＤＢのワイヤレス受信機３０が秘話設定送信信号ＳＡＸを受信することができる受信可能期間ＴＣについて説明する。
マイクロフォン１０において、切替スイッチ１２Ｂが秘話設定モードＭＤＢに切り替えられたとき、設定期間ＴＡにわたって秘話設定送信信号ＳＡＸが送信される。一方、ワイヤレス受信機３０において、切替スイッチ４２が秘話設定モードＭＤＢに切り替えられ、かつ受信ボタン４６が押されたとき、設定期間ＴＢにわたって秘話設定送信信号ＳＡＸを受信することができる受信状態となる。受信状態のときに、秘話設定送信信号ＳＡＸを受信したとき、秘話設定送信信号ＳＡＸから秘話ユニークワードＵＷＸを取り出し、この秘話ユニークワードＵＷＸを記憶部５６に保存する。
【００６６】
したがって、実質的にワイヤレス受信機３０が秘話設定送信信号ＳＡＸを受信することができる受信可能期間ＴＣは、秘話設定送信信号ＳＡＸが送信されている期間とワイヤレス受信機３０が受信状態となっている期間とが重なっている期間に限られる。
【００６７】
本実施形態によれば以下の作用効果を奏することができる。
（１）本実施形態では、ワイヤレスマイクロフォンシステム１は、通常通信モードＭＤＡと、秘話設定モードＭＤＢと、秘話通信モードＭＤＣとを有する。通常通信モードＭＤＡは、マイクロフォン１０およびワイヤレス受信機３０に予め設定されている付加情報としての通常ユニークワードＵＷＮ（通常付加情報）を用いて通信する。秘話設定モードＭＤＢは、通常ユニークワードＵＷＮと異なる秘話ユニークワードＵＷＸ（秘話付加情報）をマイクロフォン１０に設定するとともに、秘話ユニークワードＵＷＸをマイクロフォン１０からワイヤレス受信機３０に送信する。秘話通信モードＭＤＣでは、秘話設定モードＭＤＢによりマイクロフォン１０およびワイヤレス受信機３０に設定された付加情報としての秘話ユニークワードＵＷＸを用いて通信する。
【００６８】
この構成によれば、秘話設定モードＭＤＢにおいて秘話ユニークワードＵＷＸをマイクロフォン１０からワイヤレス受信機３０に送信し、秘話通信モードＭＤＣにおいて秘話ユニークワードＵＷＸに基づいて通信をする。秘話通信モードＭＤＣのときは、通常通信モードＭＤＡのときに用いる通常ユニークワードＵＷＮとは異なる秘話ユニークワードＵＷＸを用いて通信するため、マイクロフォン１０からの送信信号ＳＡが第三者のワイヤレス受信機により傍受されることを抑制することができる。また、音声信号を暗号化する技術のように暗号鍵をマイクロフォン側とワイヤレス側で互い交換する構成ではないため、簡易な構成とすることができる。
【００６９】
（２）本実施形態では、マイクロフォン１０は、通常ユニークワードＵＷＮを音声信号に付加した通常送信信号ＳＡＵと、秘話ユニークワードＵＷＸを音声信号に付加した秘話送信信号ＳＡＹと、通常ユニークワードＵＷＮを秘話ユニークワードＵＷＸに付加した秘話設定送信信号ＳＡＸとを送信する送信部１４を備えている。ワイヤレス受信機３０は、通常送信信号ＳＡＵと、秘話送信信号ＳＡＹと、秘話設定送信信号ＳＡＸとを受信する受信部５０を備えている。
【００７０】
そして、通常通信モードＭＤＡでは、マイクロフォン１０が送信部１４を通じて通常送信信号ＳＡＵを送信するとともに、ワイヤレス受信機３０が受信部５０で通常送信信号ＳＡＵを受信する。秘話設定モードＭＤＢでは、マイクロフォン１０が秘話設定送信信号ＳＡＸを送信するとともに、ワイヤレス受信機３０が受信部５０で秘話設定送信信号ＳＡＸを受信する。秘話通信モードＭＤＣでは、マイクロフォン１０が送信部１４を通じて秘話送信信号ＳＡＹを送信するとともに、ワイヤレス受信機３０が受信部５０で秘話送信信号ＳＡＹを受信する。
【００７１】
この構成によれば、通常送信信号ＳＡＵ、秘話送信信号ＳＡＹ、秘話設定送信信号ＳＡＸを個別の送信部１４により送信するのではなく、１つの送信部１４を介して送信するため、マイクロフォン１０の構成を簡略にすることができる。
【００７２】
（３）本実施形態では、マイクロフォン１０は、秘話設定モードＭＤＢのとき、秘話設定モードＭＤＢ開始の後、設定時間にわたって秘話設定送信信号ＳＡＸを送信するとともに、同秘話設定送信信号ＳＡＸに含まれる秘話ユニークワードＵＷＸを保存する。秘話通信モードＭＤＣのとき、保存した秘話ユニークワードＵＷＸを用いて秘話送信信号ＳＡＹを形成し、この秘話送信信号ＳＡＹを送信する。
【００７３】
ワイヤレス受信機３０は、秘話設定モードＭＤＢのとき、マイクロフォン１０からの秘話設定送信信号ＳＡＸを受信した場合、同秘話設定送信信号ＳＡＸに含まれる秘話ユニークワードＵＷＸを保存する。そして、秘話通信モードＭＤＣのとき、保存されている秘話ユニークワードＵＷＸを用いて秘話送信信号ＳＡＹを処理する。
【００７４】
この構成によれば、ワイヤレス受信機３０は、マイクロフォン１０が秘話設定送信信号ＳＡＸの送信中において、秘話設定送信信号ＳＡＸを受信したとき秘話ユニークワードＵＷＸを保存する。すなわち、マイクロフォン１０からの秘話設定送信信号ＳＡＸを受信しないときは、ワイヤレス受信機３０が秘話設定モードＭＤＢのときであっても秘話ユニークワードＵＷＸを保存する処理を行なわないため、誤信号が秘話ユニークワードＵＷＸとして保存されることを抑制することができる。
【００７５】
（４）本実施形態では、マイクロフォン１０は、秘話設定モードＭＤＢに設定されるたびに秘話付加情報をランダムで形成し、形成された秘話ユニークワードＵＷＸを用いて秘話設定送信信号ＳＡＸおよび秘話送信信号ＳＡＹを形成する。ワイヤレス受信機３０は、秘話設定モードＭＤＢに設定されているとき、秘話ユニークワードＵＷＸの受信に成功するたびに、新たに受信した秘話ユニークワードＵＷＸにより、保存されている秘話ユニークワードＵＷＸを更新する。そして、この秘話ユニークワードＵＷＸを用いて秘話設定送信信号ＳＡＸおよび秘話送信信号ＳＡＹを処理する。
【００７６】
この構成によれば、マイクロフォン１０は、秘話設定モードＭＤＢに設定されるたびに秘話付加情報をランダムに形成して、第三者が秘話ユニークワードＵＷＸを予測することを困難なものとする。これにより、第三者による傍受をさらに抑制することができる。
【００７７】
（５）本実施形態では、通常通信モードＭＤＡと秘話通信モードＭＤＣとを区別して通信可能とする付加情報として、音声信号を検出するためのユニークワードＵＷを用いている。そして、通常送信信号ＳＡＵは、通常付加情報としての通常ユニークワードＵＷＮを音声信号に付加したものとしている。秘話送信信号ＳＡＹは、通常ユニークワードＵＷＮと異なる付加情報としての秘話ユニークワードＵＷＸを音声信号に付加したものとしている。秘話設定送信信号ＳＡＸは、通常ユニークワードＵＷＮを秘話ユニークワードＵＷＸに付加したものとしている。
【００７８】
この構成によれば、秘話設定モードＭＤＢのとき、マイクロフォン１０から秘話送信信号ＳＡＹを送信することにより、秘話ユニークワードＵＷＸを同マイクロフォン１０からワイヤレス受信機３０に受け渡す。そして、秘話通信モードＭＤＣのとき秘話ユニークワードＵＷＸを用いて通信をする。このため、簡易な構成で、マイクロフォン１０からの送信信号が第三者のワイヤレス受信機により傍受されることを抑制することができる。
【００７９】
（６）本実施形態では、マイクロフォン１０が秘話設定モードＭＤＢのとき、かつワイヤレス受信機３０の受信する受信信号が基準受信レベルよりも小さいとき、受信信号の処理を行わない。
【００８０】
第三者が秘話ユニークワードＵＷＸ（秘話付加情報）を傍受するとき、正規の使用者のマイクロフォン１０から正規のワイヤレス受信機３０までの距離よりも遠いところで傍受すると考えられる。すなわち、通常の操作により秘話設定モードＭＤＢに設定する場合と比較して、傍受するために用いられているワイヤレス受信機３０の受信レベルは小さいと考えられる。このような事情を考慮して、上記構成では、ワイヤレス受信機３０の受信する受信信号が基準受信レベルよりも小さいとき、受信信号の処理を行わない。これにより、第三者がワイヤレス受信機３０を用いて秘話ユニークワードＵＷＸを傍受することを困難にすることができる。
【００８１】
（７）本実施形態では、マイクロフォン１０が秘話設定モードＭＤＢにおいて秘話設定送信信号ＳＡＸを送信するときの電波強度を、通常通信モードＭＤＡにおいて通常送信信号ＳＡＵを送信するときの電波強度よりも小さくする。
【００８２】
この構成によれば、秘話ユニークワードＵＷＸを含む秘話設定送信信号ＳＡＸの到達距離が、通常ユニークワードＵＷＮを含む通常送信信号ＳＡＵの到達距離よりも短くなる。このため、第三者がワイヤレス受信機３０により秘話ユニークワードＵＷＸを傍受することを困難とすることができる。
【００８３】
（第２実施形態）
図９を参照して、本発明の第２実施形態について説明する。
本実施形態のワイヤレスマイクロフォンシステム１は、第１実施形態の構成に対して次の変更を加えたものとなっている。すなわち、第１実施形態では、マイクロフォン１０において切替スイッチ１２Ｂを秘話設定モードＭＤＢに切り替えたときから起算して設定期間ＴＡの経過後に、秘話設定送信信号ＳＡＸの送信が停止される。この直後、秘話設定送信信号ＳＡＸの再送信を行うときは、切替スイッチ１２Ｂを一旦通常通信モードＭＤＡに変更し次いで秘話設定モードＭＤＢに戻すことにより、再送信することができる。すなわち、秘話設定モードＭＤＢを連続して繰り返すことができる。しかし、このような操作を許容すると、仮に第三者がワイヤレス受信機３０を秘話設定モードＭＤＢにして待機する場合、秘話設定送信信号ＳＡＸを受信する可能性が増大する。このような点を考慮し、本実施形態では、マイクロフォン１０について、秘話設定送信信号ＳＡＸを連続して送信することができないように制御している。以下、この変更にともない生じる前記第１実施形態の構成からの詳細な変更について説明する。なお、前記第１実施形態と共通する構成については同一の符合を付してその説明を省略する。
【００８４】
操作部１２の切替スイッチ１２Ｂが秘話設定モードＭＤＢに切り替えられたとき、ステップＳ３１０において秘話設定送信信号ＳＡＸの送信が禁止されている期間（以下、「送信禁止期間ＴＤ」）にあるか否か判定される。この判定が肯定されるときは、「送信秘話設定処理」が終了する。
【００８５】
ステップＳ３１０において否定判定されるとき、すなわち送信禁止期間ＴＤ以外のとき、ステップＳ３２０〜ステップＳ３６０の処理が行われる。この一連のステップは、第１実施形態のステップＳ１１０〜ステップＳ１５０の処理と同様であり、設定期間ＴＡにわたって秘話設定送信信号ＳＡＸが送信される。そして、ステップＳ３６０において、否定判定すなわち経過時間ＴＸが設定期間ＴＡを超えた旨判定されたとき、またはステップＳ３４０において否定判定されたときすなわち秘話設定モードＭＤＢにないとき、送信禁止期間ＴＤが開始される。すなわち、この後、切替スイッチ１２Ｂを一旦通常通信モードＭＤＡに変更し次いで秘話設定モードＭＤＢに戻す操作を行っても、送信禁止期間ＴＤが経過するまでは、「送信秘話設定処理」が実行されない。
【００８６】
本実施形態によれば、先の第１実施形態による前記（１）〜前記（３）および前記（５）および前記（９）の効果に加えて、さらに以下に示す効果を奏することができる。
（６）本実施形態では、マイクロフォン１０の秘話設定モードＭＤＢが終了してから送信禁止期間ＴＤが経過するまでの間は、秘話設定モードＭＤＢの実行を禁止する。
【００８７】
秘話設定モードＭＤＢの終了後に同設定モードを設定することを許容すると、秘話ユニークワードＵＷＸ（秘話付加情報）を含む秘話設定送信信号ＳＡＸを送信し続けることもできるようになる。仮に、秘話ユニークワードＵＷＸを傍受する目的で、第三者がワイヤレス受信機３０を用いることを想定する。この場合、第三者は、ワイヤレス受信機３０を受信状態として待機すると考えられる。すると、秘話ユニークワードＵＷＸの送信時間を長くすることは、その分だけ、第三者が秘話ユニークワードＵＷＸを傍受する可能性が高くなる。これに対して、上記構成では、秘話設定モードＭＤＢが終了してから送信禁止期間ＴＤが経過するまでの間は秘話設定モードＭＤＢを実行することを禁止しているため、仮に第三者が傍受の目的でワイヤレス受信機３０を受信状態にして待機している場合でも、第三者による秘話ユニークワードＵＷＸの傍受の機会を少なくすることができる。
【００８８】
（第３実施形態）
図１０を参照して、本発明の第３実施形態について説明する。
本実施形態のワイヤレスマイクロフォンシステム１は、第１実施形態の構成に対して次の変更を加えたものとなっている。すなわち、第１実施形態では、ワイヤレス受信機３０において切替スイッチ４２を秘話設定モードＭＤＢに切り替え、かつ受信ボタン４６を押したとき、秘話設定モードＭＤＢとなる。そして、受信ボタン４６を押したときから起算して設定期間ＴＡが経過したとき秘話設定モードＭＤＢが終了する。この直後、秘話設定送信信号ＳＡＸの再受信を行うときは、受信ボタン４６を押すことにより、ワイヤレス受信機３０を再び受信状態とすることができる。すなわち、秘話設定モードＭＤＢを連続して繰り返すことができる。しかし、このような操作を許容すると、マイクロフォン１０から送信される秘話ユニークワードＵＷＸを取得するために第三者がワイヤレス受信機３０を秘話設定モードＭＤＢの状態を維持するとき、秘話ユニークワードＵＷＸが第三者に取得されるおそれがある。このような点を考慮し、本実施形態では、ワイヤレス受信機３０について秘話設定送信信号ＳＡＸを連続して受信することができない制御を行っている。以下、この変更にともない生じる前記第１実施形態の構成からの詳細な変更について説明する。なお、前記第１実施形態と共通する構成については同一の符合を付してその説明を省略する。
【００８９】
操作部４０の切替スイッチ４２が秘話設定モードＭＤＢに切り替えられ、かつ受信ボタン４６が押されたとき、ステップＳ４１０において秘話設定送信信号ＳＡＸの受信が禁止されている期間（以下、「受信禁止期間ＴＥ」）にあるか否かが判定される。この判定が肯定されるときは、「受信秘話設定処理」が終了する。
【００９０】
ステップＳ４１０において否定判定されるとき、すなわち送信禁止期間ＴＤ以外のときは、ステップＳ４２０〜ステップＳ４６０の処理が行われる。この一連のステップは、第１実施形態のステップＳ２１０〜ステップＳ２５０の処理と同様である。すなわち、秘話設定送信信号ＳＡＸの受信処理が行われる。そして、ステップＳ４６０において秘話設定送信信号ＳＡＸが受信されなかった旨が表示部４５に表示されたとき、またはステップＳ４４０において秘話ユニークワードＵＷＸが保存されたとき、ステップＳ４７０において受信禁止期間ＴＥが開始される。すなわち、この後、受信ボタン４６が押されても、受信禁止期間ＴＥが経過するまでは、「受信秘話設定処理」が実行されない。
【００９１】
本実施形態によれば、先の第１実施形態による前記（１）〜前記（３）および前記（５）および前記（９）の効果に加えて、さらに以下に示す効果を奏することができる。
（７）本実施形態では、ワイヤレス受信機３０の秘話設定モードＭＤＢが終了してから受信禁止期間ＴＥが経過するまでの間は、秘話設定モードＭＤＢの実行を禁止する。
【００９２】
秘話ユニークワードＵＷＸ（秘話付加情報）を傍受することを目的として第三者がこのワイヤレス受信機３０を用いることを想定する。すると、第三者は、ワイヤレス受信機３０の秘話設定モードＭＤＢが解除された直後に同設定モードを実行する操作を行い、第三者がワイヤレス受信機３０を秘話設定モードＭＤＢの状態に維持して待機すると考えられる。このような操作により、秘話ユニークワードＵＷＸが傍受されるおそれが生じる。この点、上記構成では、秘話設定モードＭＤＢが終了してから受信禁止期間ＴＥが経過するまで秘話設定モードＭＤＢを設定することを禁止する。このため、秘話設定モードＭＤＢを連続して維持することが困難となるため、秘話ユニークワードＵＷＸが傍受されることを抑制することができる。
【００９３】
（第４実施形態）
図１１および図１２を参照して、本発明の第４実施形態について説明する。
本実施形態のワイヤレスマイクロフォンシステム１は、第１実施形態の構成に対して次の変更を加えたものとなっている。すなわち、第１実施形態では、ワイヤレス受信機３０において切替スイッチ４２を秘話設定モードＭＤＢに切り替え、かつ受信ボタン４６を押したとき、秘話設定モードＭＤＢとなる。また、受信ボタン４６を押したときから設定期間ＴＡが経過したときに秘話設定モードＭＤＢが終了する。仮に、秘話設定送信信号ＳＡＸの受信を失敗したときは、受信ボタン４６を押すことにより、ワイヤレス受信機３０を再び受信状態とすることができる。しかし、このような操作を制限なく許容すると、マイクロフォン１０から送信される秘話ユニークワードＵＷＸを取得するために第三者がワイヤレス受信機３０を秘話設定モードＭＤＢの設定を繰り返したとき、秘話設定送信信号ＳＡＸを第三者に取得されるおそれが高くなる。このような点を考慮し、本実施形態では、秘話設定送信信号ＳＡＸの受信の失敗（非受信）が所定回数以上繰り返されたとき、その後、秘話設定モードＭＤＢに設定することができない制御を行っている。以下、この変更にともない生じる前記第１実施形態の構成からの詳細な変更について説明する。なお、前記第１実施形態と共通する構成については同一の符合を付してその説明を省略する。
【００９４】
操作部４０の切替スイッチ４２が秘話設定モードＭＤＢに切り替えられ、かつ受信ボタン４６が押されたとき、ステップＳ５１０において、処理時前までにおいて秘話設定送信信号ＳＡＸを受信することができなかった回数（以下、「非受信回数ＫＸ」）が設定回数ＫＡよりも小さいか否か判定される。この判定が否定されるときは、「受信秘話設定処理」が終了する。なお、秘話設定送信信号ＳＡＸを受信することができなかった回数は、後述するステップＳ５７０の工程によりカウントされる。
【００９５】
ステップＳ５１０において肯定判定されるとき、すなわち非受信回数ＫＸが設定回数ＫＡよりも小さいとき、ステップＳ５２０〜ステップＳ５６０の処理が行われる。この一連のステップは、第１実施形態のステップＳ２１０〜ステップＳ２５０の処理と同様である。そして、ステップＳ５６０において秘話設定送信信号ＳＡＸが受信されなかった旨を表示部４５に表示する処理がされたとき、非受信回数ＫＸに１を加算する。
【００９６】
図１２を参照して、非受信回数ＫＸに基づいて秘話設定モードＭＤＢの設定を禁止する処理を行わない場合と、非受信回数ＫＸに基づいて秘話設定モードＭＤＢの設定を禁止する処理を行う場合とを比較して、受信可能期間ＴＣが形成される頻度について説明する。
【００９７】
図１２（Ａ）は、非受信回数ＫＸに関係なく秘話設定モードＭＤＢの設定を禁止しない場合において、受信ボタン４６を繰り返し押して秘話設定モードＭＤＢの設定を繰り返したとき、偶然に、マイクロフォン１０の秘話設定送信信号ＳＡＸの送信期間とワイヤレス受信機３０の受信期間とが重なった状態を示す。
【００９８】
第三者が秘話設定送信信号ＳＡＸを受信しようとするとき、秘話設定モードＭＤＢの設定を繰り返す。例えば、同図に示されるように、受信ボタン４６を繰り返し押すことにより、ワイヤレス受信機３０を断続的に受信状態とする。これにより、マイクロフォン１０の秘話設定送信信号ＳＡＸの送信期間とワイヤレス受信機３０の受信期間とが重なる機会（受信可能期間ＴＣ）を増える。同図の場合、受信ボタン４６を押すことを４回行ったとき、受信可能期間ＴＣが設けられたことを示している。
【００９９】
図１２（Ｂ）は、非受信回数ＫＸが３回を超えたときに秘話設定モードＭＤＢの設定を禁止する場合において、受信ボタン４６を断続的に押して、秘話設定モードＭＤＢの設定を繰り返したとき、マイクロフォン１０の秘話設定送信信号ＳＡＸの送信期間とワイヤレス受信機３０の受信期間とが重なる期間（受信可能期間ＴＣ）が回避されたことを示す。
【０１００】
第三者が秘話設定送信信号ＳＡＸを受信しようとするとき、秘話設定モードＭＤＢの設定を繰り返す。例えば、同図に示されるように、受信ボタン４６を繰り返し押すことにより、ワイヤレス受信機３０を断続的に受信状態とする。しかし、同図では、ワイヤレス受信機３０を秘話設定モードＭＤＢにすることを３回行って、このうち秘話設定送信信号ＳＡＸを受信することを３回非受信となっているため、その後、秘話設定モードＭＤＢに設定することが禁止される。このため、この後に行われた受信ボタン４６の押す操作は無効とされて、ワイヤレス受信機３０が秘話設定モードＭＤＢにならない。このため、その後、秘話設定送信信号ＳＡＸが送信されたとしても、ワイヤレス受信機３０により受信されない。
【０１０１】
本実施形態によれば、先の第１実施形態による前記（１）〜前記（３）および前記（５）および前記（９）の効果に加えて、さらに以下に示す効果を奏することができる。
（８）本実施形態では、秘話設定送信信号ＳＡＸを受信しない非受信の回数（非受信回数ＫＸ）が設定回数ＫＡ連続して発生したとき、ワイヤレス受信機３０を秘話設定モードＭＤＢとする操作を無効とする。
【０１０２】
マイクロフォン１０の秘話設定モードＭＤＢのときにワイヤレス受信機３０を秘話設定モードＭＤＢにすれば秘話設定送信信号ＳＡＸを受信することができるため、正規の使用者であれば、ワイヤレス受信機３０を同設定モードにする操作は通常１回で済む。そうすると、秘話ユニークワードＵＷＸを受信しない非受信が連続して発生しているときは、通常の操作を行っていないと推定することができる。すなわち、第三者が傍受を目的としてワイヤレス受信機３０を使用している可能性が大きいと予測される。このような点を考慮して、上記構成では、秘話設定送信信号ＳＡＸを受信しないことが設定回数ＫＡ連続して発生したとき、秘話設定モードＭＤＢとする操作を無効とする。これにより、第三者がワイヤレス受信機３０を使用し続けることが困難となるため、秘話ユニークワードＵＷＸが傍受されることを抑制することができる。
【０１０３】
（第５実施形態）
図１３を参照して、本発明の第５実施形態について説明する。
本実施形態のワイヤレスマイクロフォンシステム１は、第１実施形態の構成に対して次の変更を加えたものとなっている。すなわち、第１実施形態では、ワイヤレス受信機３０を秘話設定モードＭＤＢにしたときに、受信ボタン４６を繰り返し連続して押すことにより、実質的に秘話設定モードＭＤＢを延長することが可能となっている。しかし、このような操作を許容すると、マイクロフォン１０から送信される秘話ユニークワードＵＷＸを取得するために第三者がワイヤレス受信機３０を秘話設定モードＭＤＢの長時間維持することを可能とする。このため、秘話設定送信信号ＳＡＸを第三者に取得されるおそれが高まる。このような点を考慮し、本実施形態では、ワイヤレス受信機３０を受信ボタン４６の連続して受信ボタン４６を押すことにより秘話設定モードＭＤＢの期間が長くなること抑制する制御を行っている。以下、この変更にともない生じる前記第１実施形態の構成からの詳細な変更について説明する。なお、前記第１実施形態と共通する構成については同一の符合を付してその説明を省略する。
【０１０４】
操作部４０の切替スイッチ４２が秘話設定モードＭＤＢに切り替えられ、受信ボタン４６が押されたとき、ステップＳ６１０において、同処理の開始時刻が保存され、また、前回の「受信秘話設定処理」の開始からの時間間隔ＴＺを計算する。なお、時間間隔ＴＺは、前回「受信秘話設定処理」の開始時刻と今回「受信秘話設定処理」の開始時刻との差として求められる。
【０１０５】
ステップＳ６２０において時間間隔ＴＺが設定時間ＴＦより小さいか否か判定される。この判定が肯定されるとき、「受信秘話設定処理」が終了する。すなわち、秘話設定送信信号ＳＡＸを受信する処理が禁止される。
【０１０６】
ステップＳ６２０において否定判定されるとき、すなわち設定時間ＴＦ内に受信ボタン４６が連続して押されていないとみなされるとき、ステップＳ６３０〜ステップＳ６７０の処理が行われる。この一連のステップは、第１実施形態のステップＳ２１０〜ステップＳ２５０の処理と同様である。
【０１０７】
本実施形態によれば、先の第１実施形態による前記（１）〜前記（３）および前記（５）および前記（９）の効果に加えて、さらに以下に示す効果を奏することができる。
（９）本実施形態では、ワイヤレス受信機３０を秘話設定モードＭＤＢとする操作が設定時間ＴＦ内に２回（設定回数、最初の操作を含む）行われたとき、その後に行われるワイヤレス受信機３０を秘話設定モードＭＤＢとする操作を無効とする。
【０１０８】
第三者がワイヤレス受信機３０を用いて秘話ユニークワードＵＷＸ（秘話付加情報）を傍受することを意図したとき、ワイヤレス受信機３０を秘話設定モードＭＤＢの状態に維持するために、秘話設定モードＭＤＢにする操作を連続して行うことが考えられる。これに対して、本構成では、秘話設定モードＭＤＢとする操作を連続して行ったときその後に行われる操作を無効とする。これにより、秘話設定モードＭＤＢにする操作を連続して行うことを困難なものとすることができるため、秘話ユニークワードＵＷＸが傍受されることを抑制することができる。
【０１０９】
（その他の実施形態）
なお、本発明の実施態様は上記各実施形態にて例示した態様に限られるものではなく、これを例えば以下に示すように変更して実施することもできる。また以下の各変形例は、上記各実施形態についてのみ適用されるものではなく、異なる変形例同士を互いに組み合わせて実施することもできる。
【０１１０】
・上記第１実施形態では、秘話設定モードＭＤＢのとき、演算部２７は、乱数を形成して新たなユニークワード（以下、「秘話ユニークワードＵＷＸ」）を形成する。これに対して、次にように秘話ユニークワードＵＷＸを形成することもできる。
【０１１１】
具体的には、マイクロフォン１０の記憶部２８には、複数個の秘話ユニークワードＵＷＸが予め記憶される。そして、マイクロフォン１０は、秘話設定モードＭＤＢに設定されるたびに、複数個の秘話ユニークワードＵＷＸのうちのいずれか１つをランダムで選択して、選択した秘話ユニークワードＵＷＸを用いて秘話設定送信信号ＳＡＸおよび秘話送信信号ＳＡＹを形成する。一方、ワイヤレス受信機３０は、秘話設定モードＭＤＢに設定されているとき、秘話ユニークワードＵＷＸの受信に成功するたびに、新たに受信した秘話ユニークワードＵＷＸにより前の秘話ユニークワードＵＷＸを更新する。そして、この秘話ユニークワードＵＷＸを用いて秘話設定送信信号ＳＡＸおよび秘話送信信号ＳＡＹを処理する。
【０１１２】
この構成によれば、マイクロフォン１０は、秘話設定モードＭＤＢに設定されるたびに、記憶された複数個の秘話ユニークワードＵＷＸのうちからランダムに選択するため、第三者が秘話ユニークワードＵＷＸを予測することを困難なものとする。これにより、第三者による傍受をさらに抑制することができる。
【０１１３】
・上記第１実施形態では、秘話設定送信信号ＳＡＸを送信するときの電波強度を通常通信モードＭＤＡ時の電波強度よりも小さくする。一方、このような制御に代えて、秘話設定送信信号ＳＡＸを送信するときの電波強度を通常通信モードＭＤＡ時の電波強度よりも大きくする、または同じ大きさにすることもできる。この場合には、秘話設定送信信号ＳＡＸを送信する期間を短くして、第三者からの秘話設定送信信号ＳＡＸが傍受されるおそれのある期間を短くしてもよい。
【０１１４】
・上記第１実施形態では、受信ボタン４６が押されたときに秘話設定モードＭＤＢが開始し、この開始後、設定期間ＴＢを経過したとき秘話設定モードＭＤＢが終了する。すなわち、秘話設定モードＭＤＢが維持される時間は一定期間とされている。一方、このような制御に代えて、マイクロフォン１０とワイヤレス受信機３０とは、それぞれの操作部１２，４０における操作に対応して秘話設定モードＭＤＢに設定され、ワイヤレス受信機３０は、操作部４０における操作が継続している間に限り秘話設定送信信号ＳＡＸを受信する。
【０１１５】
具体的には、受信ボタン４６が押されている間は秘話設定モードＭＤＢが維持されるように制御することもできる。このような制御によれば、ワイヤレス受信機３０が秘話設定送信信号ＳＡＸを受信するまで、秘話設定モードＭＤＢを維持することができるため、使用者の使用の便宜を向上することができる。
【０１１６】
また、秘話設定モードＭＤＢを維持する期間を長くすることとは逆に、当該期間を短くすることもできる。すなわち、ワイヤレス受信機３０は、秘話設定モードＭＤＢのとき、受信ボタン４６が押されている間すなわち操作部４０で操作されている間に限り、秘話設定送信信号ＳＡＸを受信する構成となっているため、操作部４０の操作を中止することにより、秘話設定送信信号ＳＡＸの受信を停止することができる。
【０１１７】
このような操作は、次の場合に役立つ。例えば、使用にかかるワイヤレスマイクロフォンシステム１に備え付けていない別のマイクロフォン１０を用いて、第三者が同マイクロフォン１０を秘話設定モードＭＤＢにしてダミーの秘話設定送信信号ＳＡＸを送信することにより、秘話設定を妨害することが行なうことが想定される。しかし、このような妨害操作が行なわれるときでも、ワイヤレス受信機３０の操作部４０の操作期間を任意に短くすることにより、このような妨害を受けることを抑制することができる。
【０１１８】
・上記第１実施形態では、傍受対策として、音声信号に付加する付加情報を用いている。すなわち、秘話通信モードＭＤＣにおいて、通常通信モードＭＤＡに使用するユニークワードＵＷとは異なるユニークワードＵＷを用いることにより、第三者による傍受を抑制する。一方、このような構成に代えて、音声信号に付加する付加情報としての暗号鍵を、両モード間で変更することにより、第三者による傍受を抑制することもできる。
【０１１９】
具体的には、（１）通常通信モードＭＤＡでは、音声信号を送信するとき、まず音声信号を通常の暗号鍵（通常鍵情報ＫＥＮ）により暗号化し、暗号化した音声信号（以下、「暗号音声信号」）に通常鍵情報ＫＥＮを付加して、通常送信信号ＳＡＵとして送信する。通常鍵情報ＫＥＮは、予めマイクロフォン１０およびワイヤレス受信機３０に保存しておく。ワイヤレス受信機３０が暗号音声信号を受信したとき、同通常鍵情報ＫＥＮを用いて暗号音声信号を取り出すととともに通常鍵情報ＫＥＮを用いて暗号音声信号を復号する。
【０１２０】
（２）秘話設定モードＭＤＢでは、通常鍵情報ＫＥＮとは異なる暗号鍵情報（以下、「秘話鍵情報ＫＥＸ」）を形成する。そして、秘話鍵情報ＫＥＸを送信するとき、まず秘話鍵情報ＫＥＸを通常鍵情報ＫＥＮにより暗号化して暗号化秘話鍵情報ＫＥＸＸを形成し、暗号化秘話鍵情報ＫＥＸＸに通常鍵情報ＫＥＮを付加して秘話設定送信信号ＳＡＸとして送信する。ワイヤレス受信機３０が秘話設定送信信号ＳＡＸを受信したとき、通常鍵情報ＫＥＮを用いて暗号化秘話鍵情報ＫＥＸＸを取り出すととともに、さらに通常鍵情報ＫＥＮを用いて暗号化秘話鍵情報ＫＥＸＸを復号して秘話鍵情報ＫＥＸを得る。そして、この秘話鍵情報ＫＥＸを記憶部５６に保存する。
【０１２１】
（３）秘話通信モードＭＤＣでは、音声信号を送信するときに、まず音声信号を秘話鍵情報ＫＥＸにより暗号化し、暗号音声信号に秘話鍵情報ＫＥＸを付加して、秘話送信信号ＳＡＹとして送信する。ワイヤレス受信機３０が秘話送信信号ＳＡＹを受信したとき、秘話鍵情報ＫＥＸを用いて暗号化した音声信号を取り出すととともに、秘話鍵情報ＫＥＸを用いて暗号音声信号を復号する。
【０１２２】
なお、上記変形例では、（１）通常通信モードＭＤＡにおいて、音声信号を通常鍵情報ＫＥＮにより暗号化しているが、この暗号化を行なわないで、通常の通信を行なってもよい。
【０１２３】
上記構成によれば、秘話設定モードＭＤＢのとき、マイクロフォン１０から秘話送信信号ＳＡＹを送信することにより、秘話鍵情報ＫＥＸを同マイクロフォン１０からワイヤレス受信機３０に受け渡す。そして、秘話通信モードＭＤＣのとき、秘話鍵情報ＫＥＸを用いて通信をする。このように、秘話通信モードＭＤＣのとき、音声信号を暗号化し、かつ通常通信モードＭＤＡのときとは異なる秘話鍵情報ＫＥＸを用いて通信するため、マイクロフォン１０からの送信信号が第三者のワイヤレス受信機により傍受されることをさらに抑制することができる。
【０１２４】
・上記第２実施形態では、マイクロフォン１０について秘話設定送信信号ＳＡＸを連続して送信することができないように制御しているが、このような制御に代えて、秘話設定送信信号ＳＡＸを連続して送信する操作を所定回数まで許容することもできる。例えば、秘話設定送信信号ＳＡＸを送信する操作を３回連続して行うことを許容し、４回以上連続して行うことは禁止する制御を行う。このような制御の場合、仮に使用者の誤操作により、秘話設定送信信号ＳＡＸのワイヤレス受信機３０による受信が失敗したときでも、その直後に、再度マイクロフォン１０から秘話設定送信信号ＳＡＸを送信することができる。
【０１２５】
・上記第３実施形態では、秘話設定モードＭＤＢにおける一連の処理が終了したとき、受信禁止期間ＴＥを開始する。これにより、秘話設定送信信号ＳＡＸを連続して受信することができない制御を行っているが、このような制御に代えて、次のような制御を行うことができる。すなわち、「受信秘話設定処理」が実行される都度、受信禁止期間ＴＥを開始する代わりに、「受信秘話設定処理」の実行が所定回数行われたとき、受信禁止期間ＴＥを開始するようにしてもよい。
【０１２６】
・上記第４実施形態では、秘話設定送信信号ＳＡＸの受信の失敗（非受信）が所定回数以上繰り返されたとき、その後、ワイヤレス受信機３０を秘話設定モードＭＤＢに設定することができない制御を行っている。一方、この制御に代えて、秘話設定送信信号ＳＡＸの受信の失敗が連続して発生したときに、ワイヤレス受信機３０を秘話設定モードＭＤＢに設定することを禁止してもよい。なお、この場合の受信の失敗の連続とは、第１回目の受信の失敗と、この失敗に続く第２の受信の失敗との間に、受信の成功例がない場合を示す。
【０１２７】
・上記第５実施形態では、受信ボタン４６が押された後、設定時間ＴＦ内に再度受信ボタン４６が押されたとき、秘話設定モードＭＤＢが終了する。これにより、第三者が連続的に受信ボタン４６を押してワイヤレス受信機３０の受信状態を延長する行為を抑制する。一方、この制御に代えて、またはこの制御に加えて、切替スイッチ４２が秘話設定モードＭＤＢに切り替えられたときを起算時として設定時間ＴＦ内に、再度切替スイッチ４２が秘話設定モードＭＤＢとされる操作が行われたとき、秘話設定モードＭＤＢを終了する制御を行ってもよい。このような制御によれば、秘話設定モードＭＤＢから他のモードに一旦切替、その後、秘話設定モードＭＤＢと変更することにより、秘話設定送信信号ＳＡＸを受信する受信状態を維持することを抑制することができる。
【０１２８】
・上記各実施形態では、音声デジタル信号ＳＤの位置を同定するために用いるユニークワードＵＷに対して、通常ユニークワードＵＷＮおよび秘話ユニークワードＵＷＸを使い分けている。このような方法に代えて、この種のユニークワードＵＷとは別に、音声デジタル信号ＳＤに新たなパラメータ（ユニークワード）を設け、このパラメータが第１実施形態の通常ユニークワードＵＷＮおよび秘話ユニークワードＵＷＸに切り替えられる構成とすることもできる。例えば、通常通信モードの送信信号は、通常ユニークワードＵＷＮと新たなユニークワード（以下、「新ユニークワードＵＷＡ」）と音声デジタル信号とを含めて構成される。秘話設定モードの送信信号は、通常ユニークワードＵＷＮと新ユニークワードＵＷＡと秘話ユニークワードＵＷＸとを含めて構成される。秘話通信モードの送信信号は、秘話ユニークワードＵＷＸと新ユニークワードＵＷＡと音声デジタル信号とを含めて構成される。なお、ここでの新ユニークワードＵＷＡは、送信信号内の音声デジタル信号や秘話ユニークワードが格納されている位置を同定するために用いられる。
【符号の説明】
【０１２９】
１…ワイヤレスマイクロフォンシステム、２…送信システム、３…受信システム、４…ワイヤレスアンテナ、５…混合器、６…ミキサ、７…アンプ、８…スピーカ、１０…マイクロフォン、１１…ヘッド部、１２…操作部、１２Ａ…送信チャンネル設定部、１２Ｂ…切替スイッチ、１３…信号処理部、１４…送信部、２１…Ａ／Ｄ変換回路、２２…信号形成部、２３…増幅回路、２４…信号処理回路、２５…ＦＭ変調回路、２６…中間信号形成回路、２７…演算部、２８…記憶部、３０…ワイヤレス受信機、４０…操作部、４１…受信チャンネル設定部、４２…切替スイッチ、４３…第１受信設定部、４３Ａ…第１選択ボタン、４３Ｂ…グループ表示部、４４…第２受信設定部、４４Ａ…第２選択ボタン、４４Ｂ…チャンネル表示部、４５…表示部、４６…受信ボタン、５０…受信部、５１…復調器、５２…ＵＷ検出部、５３…信号処理回路、５４…Ｄ／Ａ変換回路、５５…演算部、５６…記憶部。
【図１】
0005498366.tif 000002
【図２】
0005498366.tif 000003
【図３】
0005498366.tif 000004
【図４】
0005498366.tif 000005
【図５】
0005498366.tif 000006
【図６】
0005498366.tif 000007
【図７】
0005498366.tif 000008
【図８】
0005498366.tif 000009
【図９】
0005498366.tif 000010
【図１０】
0005498366.tif 000011
【図１１】
0005498366.tif 000012
【図１２】
0005498366.tif 000013
【図１３】
0005498366.tif 000014